(57)【要約】  従来よりも小型でありながら諸収差が良好に補正された３枚構成の撮像レンズ。  物体側から順に、近軸で正のパワーを有し物体側に凸面を向け像側に凹面を向けたメニスカス形状の第１レンズと、近軸で正のパワーを有し周辺で負のパワーを有する非球面形状の第２レンズと、近軸で物体側に凸面を向け像側に凹を向けたメニスカス形状の第３レンズと、を有し、以下の条件式を満足すること。  ＴＬ／ｆ＜１．１０  ２．００＜（ｒ２＋ｒ１）／（ｒ２−ｒ１）＜４．００  ０．０７＜Ｄ２／ｆ＜０．１９  但し、  ＴＬ：前記第１レンズの物体側面から像側面までの空気換算長距離  ｆ：全系の焦点距離  ｒ２：前記第１レンズ像側面の曲率半径  ｒ１：前記第１レンズ物体側面の曲率半径  Ｄ２：前記第１レンズと前記第２レンズの近軸上での間隔
2011092983.tif 000002
【特許請求の範囲】
【請求項１】
物体側から順に、近軸で正のパワーを有し物体側に凸面を向け像側に凹面を向けたメニスカス形状の第１レンズと、近軸で正のパワーを有し周辺で負のパワーを有する非球面形状の第２レンズと、近軸で物体側に凸面を向け像側に凹を向けたメニスカス形状の第３レンズと、を有し、以下の条件式を満足することを特徴とする撮像レンズ。
ＴＬ／ｆ＜１．１０
２．００＜（ｒ２＋ｒ１）／（ｒ２−ｒ１）＜４．００
０．０７＜Ｄ２／ｆ＜０．１９
但し、
ＴＬ：前記第１レンズの物体側面から像側面までの空気換算長距離
ｆ：全系の焦点距離
ｒ２：前記第１レンズ像側面の曲率半径
ｒ１：前記第１レンズ物体側面の曲率半径
Ｄ２：前記第１レンズと前記第２レンズの近軸上での間隔
【請求項２】
前記第１レンズよりも物体側に開口絞りが配置されていることを特徴とする請求項１に記載の撮像レンズ。
【請求項３】
前記第２レンズは以下の条件式を満足することを特徴とする請求項１に記載の撮像レンズ。
φｍ／φｐ＜−１０
但し、
φｍ：最大光線高の位置における前記第２レンズのパワー
φｐ：近軸における前記第２レンズのパワー
【請求項４】
前記第３レンズは近軸において負のパワーを有することを特徴とする請求項１に記載の撮像レンズ。
【請求項５】
前記第３レンズは以下の条件式を満足することを特徴とする請求項４に記載の撮像レンズ。
−３．３０＜ｆ３／ｆ＜−１．３０
但し、
ｆ３：近軸における前記第３レンズの焦点距離
【請求項６】
前記第３レンズの少なくとも像側面は非球面に形成されており、該非球面は少なくとも１つの非球面変曲点を有していることを特徴とする請求項１に記載の撮像レンズ。
【請求項７】
前記第２レンズは以下の条件式を満足することを特徴とする請求項１に記載の撮像レンズ。
ｎ２＞１．５５
但し、
ｎ２：前記第２レンズのｄ線における屈折率
【請求項８】
前記第１レンズ、前記第２レンズ及び前記第３レンズは耐熱性を有する材料で構成されることを特徴とする請求項１に記載の撮像レンズ。
【発明の詳細な説明】
【技術分野】
【０００１】
本発明はＣＣＤ（Ｃｈａｒｇｅ  Ｃｏｕｐｌｅｄ  Ｄｅｖｉｃｅ）型イメージセンサやＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型イメージセンサ等の固体撮像素子を用いた撮像装置の撮像レンズに関するものであり、ノートＰＣ等や携帯端末等への搭載に適した小型で薄型の撮像レンズに関するものである。
【背景技術】
【０００２】
小型で薄型の撮像装置が、携帯電話機やＰＤＡ（Ｐｅｒｓｏｎａｌ  Ｄｉｇｉｔａｌ  Ａｓｓｉｓｔａｎｔ）等の小型で、薄型の電子機器である携帯端末に搭載されるようになり、これにより遠隔地へ音声情報だけでなく画像情報も相互に伝送することが可能となっている。【０００３】
これらの撮像装置に使用される撮像素子としては、ＣＣＤ型イメージセンサやＣＭＯＳ型イメージセンサ等の固体撮像素子が使用されている。近年では、撮像素子の画素ピッチの小型化が進み、高画素化により、高解像、高性能化が図られてきている。一方で、画素を維持することで、撮像素子の小型化が図られている。【０００４】
このような撮像装置の用いられる撮像レンズとして、レンズ３枚構成とした撮像レンズが特許公報に開示されている（特許文献１〜４参照）。
【先行技術文献】
【特許文献】
【０００５】
【特許文献１】特許第３９８９０１０号公報
【特許文献２】特開２００７−１１４４７３号公報
【特許文献３】特開２００６−０８４７２０号公報
【特許文献４】特開２００８−２７６２００号公報
【発明の概要】
【発明が解決しようとする課題】
【０００６】
特許文献１については、正、負、負のパワー配置になっておりこれ以上の小型化が困難であると共に、球面収差及び軸外でのコマ収差補正が十分でなくＦナンバーを明るくすることができない。【０００７】
特許文献２，３については、正、正、負の構成であり、特許文献１よりも全長短縮に有利であるものの、全長が長く、軸外でのコマ収差、非点収差の補正が十分でなく、高画素に対応することができていない。【０００８】
特許文献４においては、特許文献１〜３よりも小型ではあるが、軸外での収差が良好に補正できていないことからＦナンバーを明るくすることができない。【０００９】
本発明はかかる問題に鑑みてなされたものであり、従来よりも小型でありながら諸収差が良好に補正された、３枚構成の撮像レンズを提供することを目的としている。【００１０】
ここで、小型の撮像レンズの尺度であるが、本発明では下記の条件式を満足するレベルの小型化を目指している。この条件式の範囲を満たすことで、レンズ全長を短くでき相乗的にレンズ外径も小さくできる。これにより、撮像装置全体の小型軽量化が可能となる。【００１１】
ＴＬ／２Ｙ’＜１．０
但し、
ＴＬ：撮像レンズ全系の最も物体側のレンズ面から像側焦点までの光軸上の距離
２Ｙ’：固体撮像素子の撮像面対角線長（固体撮像素子の矩形実行画素領域の対角線長）
ここで、「像側焦点」とはレンズに光軸と平行な平行光線が入射した場合の像点をいう。なお、撮像レンズの最も像側の面と像側焦点位置との間に、光学的ローパスフィルタ、赤外線カットフィルタ、バンドパスフィルタ、または固体撮像素子パッケージのシールガラス等の平行平板が配置される場合には、平行平板部分は空気換算距離とした上で上記ＴＬの値を計算するものとする。
【課題を解決するための手段】
【００１２】
１．物体側から順に、近軸で正のパワーを有し物体側に凸面を向け像側に凹面を向けたメニスカス形状の第１レンズと、近軸で正のパワーを有し周辺で負のパワーを有する非球面形状の第２レンズと、近軸で物体側に凸面を向け像側に凹を向けたメニスカス形状の第３レンズと、を有し、以下の条件式を満足することを特徴とする撮像レンズ。【００１３】
ＴＬ／ｆ＜１．１０                                          （１）
２．００＜（ｒ２＋ｒ１）／（ｒ２−ｒ１）＜４．００          （２）
０．０７＜Ｄ２／ｆ＜０．１９                                （３）
但し、
ＴＬ：前記第１レンズの物体側面から像側面までの空気換算長距離
ｆ：全系の焦点距離
ｒ２：前記第１レンズ像側面の曲率半径
ｒ１：前記第１レンズ物体側面の曲率半径
Ｄ２：前記第１レンズと前記第２レンズの近軸上での間隔
本レンズは条件式（１）を満たす全長が小さく、近軸から軸外まで収差を良好に補正できることを特徴とする撮像レンズである。小型で収差の良好に補正された撮像レンズを得るための本発明の基本構成は、物体側より順に、近軸で正のパワーを有し物体側に凸面を向け像側に凹面を向けたメニスカス形状の第１レンズと、近軸で正のパワーを有し周辺で負のパワーを有する非球面形状の第２レンズと、近軸で物体側に凸面を向け像側に凹を向けたメニスカス形状の第３レンズとから成る。【００１４】
第１レンズ及び第３レンズを物体側に凸面を向けたメニスカス形状にすることで、長いレンズバックを確保すると同時に全長を短縮することができる。また、主点をより前に置くことができるため良好なテレセン性を確保できるようになる。【００１５】
全長を小さくしつつ諸収差を良好に補正するには、更に条件式（２）、（３）を満たすことが望ましい。【００１６】
周辺での湾曲収差や非点収差を良好に補正するためには、凹面である第１レンズの像側面曲率半径ｒ２が条件式（２）に示す範囲を取るような小さな値である必要がある。しかし、ｒ２を小さくなると軸外でのコマ収差が大きくなることや全長が長くなることが問題となり、これまでは実現が困難であった。そこで、第２レンズを近軸で正のパワー、周辺で負のパワーを持たせ、第１レンズと第２レンズの間隔Ｄ２を適切な範囲を持たせることでコマ収差を良好に補正し、第１レンズ物体側面の曲率半径を小さくできる構成を実現した。【００１７】
第２レンズの近軸が正のパワーを持つことにより、全長短縮に有利な構成となるため第１レンズの像側面の曲率半径を小さくすることができる。また、第２レンズパワーを周辺に行くに従って負のパワーにして行き、第１レンズと第２レンズの間隔を条件式（３）を満たす範囲にすることで軸外の光線の下端が第２レンズの近軸付近を通過できるようになり、中心付近を通る下端の光線を跳ね下げ、周辺を通る上端の光線を跳ね上げることができ、コマ収差を良好に補正することができる。【００１８】
また、以下の条件式を満たすことがより望ましい。【００１９】
２．２０＜（ｒ２＋ｒ１）／（ｒ２−ｒ１）＜３．８０        （２’）
０．１０＜Ｄ２／ｆ＜０．１７                              （３’）
条件式（２’）の下限を下回ると周辺での収差補正不足となり、上限を上回ると軸外でのコマ収差の発生が大きくなる他、全長が長くなりすぎてしまう。条件式（２’）の上限を上回るとコマ収差が大きくなりすぎてしまい補正が困難となる。【００２０】
条件式（３’）の下限を下回る、または上限を上回ると軸外光線を近軸付近で補正できなくなるためコマ収差の補正が困難となる。【００２１】
２．前記第１レンズよりも物体側に開口絞りが配置されていることを特徴とする前記１に記載の撮像レンズ。【００２２】
第１レンズの物体側面より物体側に開口絞りを配置することにより、射出瞳位置を撮像面からより遠くに配置することができるため、良好なテレセントリック性を維持しつつ全長を短縮することができる。【００２３】
３．前記第２レンズは以下の条件式を満足することを特徴とする前記１に記載の撮像レンズ。【００２４】
φｍ／φｐ＜−１０                                          （４）
但し、
φｍ：最大光線高の位置における前記第２レンズのパワー
φｐ：近軸における前記第２レンズのパワー
第１レンズで発生するコマ収差を良好に補正しつつ、軸外での湾曲収差や非点収差を良好に補正するためには、第２レンズ周辺部のパワーが条件式（４）の範囲にあるのが望ましい。条件式上限を上回ると軸外での収差補正が不足し、良好な性能を得ることが出来ない。【００２５】
また、以下の範囲を満たすことがより望ましい。【００２６】
φｍ／φｐ＜−５０                                        （４’）
ここで、最大光線高の位置におけるレンズパワーφｍは、対称のレンズ物体側面での有効半径Ｈｍに、物体側の無限遠方から平行光線を入射させ、レンズ通過後の傾き角をξとしたとき、φｍ＝ｔａｎξ／Ｈｍで与えられる。また、φｐは第２レンズの近軸での焦点距離の逆数である。（参考文献  特開２００４−３２６０９７号公報）
４．前記第３レンズは近軸において負のパワーを有することを特徴とする前記１に記載の撮像レンズ。【００２７】
第３レンズは、近軸上で負のパワーを持つことが望ましい。第３レンズが近軸で負のパワーを持つことにより、ペッツパール和を小さくすることができる他、軸上色収差も良好に補正することができる。【００２８】
５．前記第３レンズは以下の条件式を満足することを特徴とする前記４に記載の撮像レンズ。【００２９】
−３．３０＜ｆ３／ｆ＜−１．３０                            （５）
但し、
ｆ３：近軸における前記第３レンズの焦点距離
前記第３レンズは、更に条件式（５）を満たすことが望ましい。第３レンズの近軸におけるパワーが条件式（５）を満たすことで更にペッツバール和を小さくすることができる他、良好に軸上色収差を補正できる。条件式上限を上回ると負のパワーが強くなりすぎてしまい、全長短縮が困難となる。条件式下限を下回ると諸収差が補正不足になり良好な性能を保つことができない。【００３０】
６．前記第３レンズの少なくとも像側面は非球面に形成されており、該非球面は少なくとも１つの非球面変曲点を有していることを特徴とする前記１に記載の撮像レンズ。【００３１】
第３レンズの像側面を、変曲点を有する非球面形状とすることで、像側光束のテレセントリック特性が確保しやすくなる。また、軸外で発生する非点収差やコマ収差を良好に補正することができる。【００３２】
ここで、「変曲点」とは有効半径内でのレンズ断面形状の曲線において、非球面頂点の接平面が光軸と垂直な平面となるような非球面上の点のことである。【００３３】
７．前記第２レンズは以下の条件式を満足することを特徴とする前記１に記載の撮像レンズ。【００３４】
ｎ２＞１．５５                                              （６）
但し、
ｎ２：前記第２レンズのｄ線における屈折率
第１レンズで発生するコマ収差を良好に補正しつつ、軸外での湾曲収差や非点収差を良好に補正するためには、第２レンズの屈折率が条件式（６）の範囲にあることが望ましい。第２レンズの屈折率を大きくすることでより、近軸でのパワーと周辺でのパワーに差をつけることができるため、コマ収差を補正しやすくなる。また、周辺での負のパワーをより強くできるようになり、軸外での湾曲収差や非点収差も良好に補正できるようになる。【００３５】
また、以下の範囲を満たすことがより望ましい。【００３６】
ｎ２＞１．６５                                          （６’）
ｎ２＞１．７５                                          （６’’）
８．前記第１レンズ、前記第２レンズ及び前記第３レンズは耐熱性を有する材料で構成されることを特徴とする前記１に記載の撮像レンズ。【００３７】
耐熱性を有する材料で構成することにより、リフロー処理に耐えることができ、電子部品とレンズモジュールとを基板に同時に実装することができ、低コストかつ大量に基板に実装することができる。【００３８】
また、第１レンズ、第２レンズ及び第３レンズは耐熱性ガラスで構成されていることがより望ましい。
【発明の効果】
【００３９】
本発明の撮像レンズによれば、３枚構成であって、従来よりも小型でありながら諸収差が良好に補正される。
【図面の簡単な説明】
【００４０】
【図１】実施例１の撮像レンズの断面図である。
【図２】実施例１の収差図である。
【図３】実施例２の撮像レンズの断面図である。
【図４】実施例２の収差図である。
【図５】実施例３の撮像レンズの断面図である。
【図６】実施例３の収差図である。
【図７】実施例４の撮像レンズの断面図である。
【図８】実施例４の収差図である。
【図９】実施例５の撮像レンズの断面図である。
【図１０】実施例５の収差図である。
【実施例】
【００４１】
以下に本発明の撮像レンズの実施例を示す。各実施例に使用する記号は下記の通りである。【００４２】
ｆ：撮像レンズ全系の焦点距離
ｆＢ：バックフォーカス
Ｆ：Ｆナンバー
２Ｙ：固体撮像素子の撮像面対角線長
Ｒ：曲率半径
Ｄ：軸上面間隔
Ｎｄ：レンズ材料のｄ線に対する屈折率
νｄ：レンズ材料のアッベ数
ＥＮＴＰ：第１レンズの物体側面を基準としたときの入射瞳位置
ＥＸＴＰ：撮像系の最終面を基準としたときの射出瞳位置
Ｈ１：前側主点位置
Ｈ２：後側主点位置
また、面データにおいて、各面番号の後に「＊」が記載されている面が非球面形状を有する面であり、非球面の形状は、面の頂点を原点とし、光軸方向にＸ軸をとり、光軸と垂直方向の高さをｈとして以下の数式で表す。【００４３】
【数１】
2011092983.tif 000003
【００４４】
但し、
Ａｉ：ｉ次の非球面係数
Ｒ：曲率半径
Ｋ：円錐定数
また、非球面係数において、１０のべき乗数（例えば２．５×１０−０２）をＥ（例えば２．５Ｅ−０２）を用いて表している。【００４５】
［実施例１］
・全体諸元を以下に示す。【００４６】
ｆ＝３．７３ｍｍ
ｆＢ＝０．０２ｍｍ
Ｆ＝２．８５
２Ｙ＝４．４８ｍｍ
ＥＮＴＰ＝０ｍｍ
ＥＸＴＰ＝−２．５３ｍｍ
Ｈ１＝−１．７４ｍｍ
Ｈ２＝−３．７１ｍｍ
・面データを以下に示す。【００４７】
面番号      Ｒ(mm)      Ｄ(mm)      Ｎｄ      νｄ    有効半径(mm)
１            ∞         0.05                             0.65
２            ∞        -0.20                             0.65
３(＊)       1.200       0.66     1.58310     59.4        0.66
４(＊)       3.103       0.56                             0.66
５(＊)      -2.047       0.55     1.80540     26.1        0.76
６(＊)      -2.292       0.61                             0.97
７(＊)       5.064       0.63     1.58310     59.4        1.48
８(＊)       1.951       0.19                             1.83
９            ∞         0.21     1.51630     64.1        2.50
10            ∞         0.26                             2.50
11            ∞         0.50     1.47140     65.2        2.50
12            ∞         0.05
・非球面係数を以下に示す。【００４８】
第３面
K=0.18527E+00,A4=0.40371E-02,A6=0.75170E-01,A8=-0.41896E+00,A10=0.14989E+01,A12=-0.23719E+01,A14=0.15108E+01
第４面
K=0.26566E+01,A4=0.60630E-01,A6=0.21834E+00,A8=-0.10873E+01,A10=0.49170E+01,A12=-0.94452E+01,A14=0.78006E+01
第５面
K=-0.22806E+01,A4=-0.44187E-01,A6=-0.31563E+00,A8=0.17343E+01,A10=-0.36610E+01,A12=0.33941E+01,A14=-0.11732E+00,A16=-0.15982E+01
第６面
K=-0.20184E+02,A4=-0.21738E+00,A6=0.32037E+00,A8=-0.19751E+00,A10=0.16050E+00,A12=-0.89934E-01,A14=0.88669E-01,A16=-0.53174E-01
第７面
K=-0.50000E+02,A4=-0.22635E+00,A6=0.85598E-01,A8=-0.34808E-02,A10=-0.10815E-01,A12=0.28169E-02,A14=0.16260E-02,A16=-0.56920E-03
第８面
K=-0.65692E+01,A4=-0.15984E+00,A6=0.79011E-01,A8=-0.34149E-01,A10=0.66428E-02,A12=0.46252E-03,A14=-0.47040E-03,A16=0.61266E-04
・単レンズデータを以下に示す。【００４９】
レンズ        始面      焦点距離(mm)
１           ３            2.978
２           ５        7648.429
３           ７           -5.882
・前述の各条件式に対応する値を以下に示す。【００５０】
（１）  ＴＬ／ｆ＝1.07
（２）  （ｒ２＋ｒ１）／（ｒ２−ｒ１）＝2.26
（３）  φｍ／φｐ＝-1170.14
（４）  Ｄ２／ｆ＝0.15
（５）  ｆ３／ｆ＝-1.58
（６）  ｎ２＝1.80540
図１は実施例１の撮像レンズの断面図である。Ｓは開口絞り、Ｌ１は第１レンズ、Ｌ２は第２レンズ、Ｌ３は第３レンズ、ＰＴは光学的ローパスフィルタ若しくはＩＲカットフィルタ、ＣＧは固体撮像素子のカバーガラス、Ｉは撮像面を示す。図２は実施例１の収差図（球面収差、非点収差、歪曲収差）である。【００５１】
［実施例２］
・全体諸元を以下に示す。【００５２】
ｆ＝３．７４ｍｍ
ｆＢ＝０．１３ｍｍ
Ｆ＝２．８４
２Ｙ＝４．４８ｍｍ
ＥＮＴＰ＝０ｍｍ
ＥＸＴＰ＝−２．３８ｍｍ
Ｈ１＝−１．８５ｍｍ
Ｈ２＝−３．６１ｍｍ
・面データを以下に示す。【００５３】
面番号      Ｒ(mm)      Ｄ(mm)      Ｎｄ      νｄ    有効半径(mm)
１            ∞         0.05                             0.65
２            ∞        -0.21                             0.65
３(＊)       1.127       0.69     1.58020     56.3        0.66
４(＊)       2.201       0.52                             0.64
５(＊)      -2.280       0.55     1.58020     56.3        0.76
６(＊)      -2.474       0.61                             1.00
７(＊)       3.534       0.61     1.58020     56.3        1.51
８(＊)       1.780       0.20                             1.84
９            ∞         0.15     1.51390     60.7        2.50
10            ∞         0.18                             2.50
11            ∞         0.50     1.46920     61.7        2.50
12            ∞         0.13
・非球面係数を以下に示す。【００５４】
第３面
K=-0.16065E+00,A4=0.36307E-01,A6=0.73927E-01,A8=-0.60479E-01,A10=0.13803E+00,A12=0.16821E+00,A14=-0.19006E+00
第４面
K=0.65088E+01,A4=0.43977E-01,A6=0.70312E-01,A8=0.25260E+00,A10=0.24832E+00,A12=-0.19076E+01,A14=0.57815E+01
第５面
K=-0.14935E+02,A4=-0.28182E+00,A6=0.14865E+00,A8=0.60631E-01,A10=0.26416E+00,A12=-0.17018E+01,A14=0.35440E+01,A16=-0.20804E+01
第６面
K=-0.20549E+01,A4=-0.13239E+00,A6=0.13404E+00,A8=0.13421E-01,A10=-0.36910E-01,A12=0.30183E-01,A14=0.10028E+00,A16=-0.82484E-01
第７面
K=-0.42140E+02,A4=-0.22333E+00,A6=0.74301E-01,A8=-0.10163E-01,A10=-0.51029E-03,A12=0.19621E-02,A14=-0.15602E-03,A16=-0.11872E-03
第８面
K=-0.10411E+02,A4=-0.11511E+00,A6=0.32495E-01,A8=-0.10621E-01,A10=0.16396E-02,A12=0.15521E-03,A14=-0.12966E-03,A16=0.18035E-04
・単レンズデータを以下に示す。【００５５】
レンズ        始面      焦点距離(mm)
１           ３            3.219
２           ５        1191.466
３           ７           -7.087
・前述の各条件式に対応する値を以下に示す。【００５６】
（１）  ＴＬ／ｆ＝1.05
（２）  （ｒ２＋ｒ１）／（ｒ２−ｒ１）＝3.10
（３）  φｍ／φｐ＝-50.79
（４）  Ｄ２／ｆ＝0.14
（５）  ｆ３／ｆ＝-1.89
（６）  ｎ２＝1.58020
図３は実施例２の撮像レンズの断面図である。Ｓは開口絞り、Ｌ１は第１レンズ、Ｌ２は第２レンズ、Ｌ３は第３レンズ、ＰＴは光学的ローパスフィルタ若しくはＩＲカットフィルタ、ＣＧは固体撮像素子のカバーガラス、Ｉは撮像面を示す。図４は実施例２の収差図（球面収差、非点収差、歪曲収差）である。【００５７】
［実施例３］
・全体諸元を以下に示す。【００５８】
ｆ＝３．６２ｍｍ
ｆＢ＝０．１２ｍｍ
Ｆ＝２．８４
２Ｙ＝４．４８ｍｍ
ＥＮＴＰ＝０ｍｍ
ＥＸＴＰ＝−２．３４ｍｍ
Ｈ１＝−１．７２ｍｍ
Ｈ２＝−３．５ｍｍ
・面データを以下に示す。【００５９】
面番号      Ｒ(mm)      Ｄ(mm)      Ｎｄ      νｄ    有効半径(mm)
１            ∞         0.05                             0.63
２            ∞        -0.23                             0.63
３(＊)       1.031       0.66     1.58020     56.3        0.63
４(＊)       1.882       0.58                             0.60
５(＊)      -2.097       0.40     1.80470     24.3        0.73
６(＊)      -2.270       0.70                             0.97
７(＊)       7.620       0.54     1.58020     56.3        1.60
８(＊)       2.586       0.18                             1.86
９            ∞         0.15     1.51390     60.7        2.50
10            ∞         0.10                             2.50
11            ∞         0.50     1.46920     61.7        2.50
12            ∞         0.12
・非球面係数を以下に示す。【００６０】
第３面
K=-0.12989E+00,A4=0.35854E-01,A6=0.81004E-01,A8=-0.18889E-01,A10=0.19757E+00,A12=-0.27042E+00,A14=0.46853E+00
第４面
K=0.69301E+01,A4=0.33340E-01,A6=-0.66075E-01,A8=0.42942E+00,A10=-0.36034E+00,A12=-0.20868E+01,A14=0.59938E+01
第５面
K=-0.14263E+02,A4=-0.31713E+00,A6=0.28982E+00,A8=-0.46180E+00,A10=-0.37387E+00,A12=-0.35973E+00,A14=0.58538E+01,A16=-0.75098E+01
第６面
K=-0.44822E+01,A4=-0.85434E-01,A6=0.69014E-01,A8=-0.42386E-01,A10=0.88534E-02,A12=0.23549E-01,A14=0.90293E-01,A16=-0.88386E-01
第７面
K=-0.50000E+02,A4=-0.15163E+00,A6=0.40238E-01,A8=-0.25854E-02,A10=0.14934E-02,A12=0.54040E-04,A14=-0.28551E-03,A16=0.44231E-04
第８面
K=-0.66972E+01,A4=-0.10839E+00,A6=0.27237E-01,A8=-0.10388E-01,A10=0.19397E-02,A12=0.15579E-03,A14=-0.12433E-03,A16=0.15264E-04
・単レンズデータを以下に示す。【００６１】
レンズ        始面      焦点距離(mm)
１           ３            3.063
２           ５        1503.269
３           ７           -7.027
・前述の各条件式に対応する値を以下に示す。【００６２】
（１）  ＴＬ／ｆ＝1.02
（２）  （ｒ２＋ｒ１）／（ｒ２−ｒ１）＝3.420
（３）  φｍ／φｐ＝-429.49
（４）  Ｄ２／ｆ＝0.16
（５）  ｆ３／ｆ＝-1.94
（６）  ｎ２＝1.80540
図５は実施例３の撮像レンズの断面図である。Ｓは開口絞り、Ｌ１は第１レンズ、Ｌ２は第２レンズ、Ｌ３は第３レンズ、ＰＴは光学的ローパスフィルタ若しくはＩＲカットフィルタ、ＣＧは固体撮像素子のカバーガラス、Ｉは撮像面を示す。図６は実施例３の収差図（球面収差、非点収差、歪曲収差）である。【００６３】
［実施例４］
・全体諸元を以下に示す。【００６４】
ｆ＝３．３９ｍｍ
ｆＢ＝０．１ｍｍ
Ｆ＝２．８４
２Ｙ＝４．４８ｍｍ
ＥＮＴＰ＝０ｍｍ
ＥＸＴＰ＝−２．２４ｍｍ
Ｈ１＝−１．５２ｍｍ
Ｈ２＝−３．２９ｍｍ
・面データを以下に示す。【００６５】
面番号      Ｒ(mm)      Ｄ(mm)      Ｎｄ      νｄ    有効半径(mm)
１            ∞         0.05                             0.60
２            ∞        -0.23                             0.60
３(＊)       1.031       0.71     1.56910     71.3        0.60
４(＊)       1.981       0.39                             0.58
５(＊)      -2.569       0.55     1.81360     25.7        0.67
６(＊)      -2.808       0.65                             0.98
７(＊)       3.252       0.56     1.58310     59.4        1.56
８(＊)       1.795       0.20                             1.84
９            ∞         0.15     1.51630     64.1        2.50
10            ∞         0.10                             2.50
11            ∞         0.50     1.47140     65.2        2.50
12            ∞         0.10
・非球面係数を以下に示す。【００６６】
第３面
K=-0.13449E+00,A4=0.39886E-01,A6=0.66366E-01,A8=-0.18976E-01,A10=0.19128E+00,A12=-0.29826E-01,A14=0.76240E-01
第４面
K=0.74687E+01,A4=0.27397E-01,A6=0.78392E-02,A8=0.19742E+00,A10=-0.28319E+00,A12=-0.49190E+00,A14=0.59938E+01
第５面
K=-0.26102E+02,A4=-0.33539E+00,A6=0.27367E+00,A8=-0.27429E+00,A10=-0.33272E+00,A12=-0.10195E+01,A14=0.35232E+01,A16=-0.27483E+01
第６面
K=0.23386E+01,A4=-0.74690E-01,A6=0.11859E+00,A8=-0.47898E-01,A10=-0.19613E-01,A12=0.16142E-01,A14=0.96339E-01,A16=-0.74998E-01
第７面
K=-0.50000E+02,A4=-0.16272E+00,A6=0.37221E-01,A8=-0.26682E-02,A10=0.17860E-02,A12=0.26062E-03,A14=-0.18932E-03,A16=-0.79133E-05
第８面
K=-0.11100E+02,A4=-0.93971E-01,A6=0.23628E-01,A8=-0.11736E-01,A10=0.22421E-02,A12=0.15579E-03,A14=-0.12433E-03,A16=0.15264E-04
・単レンズデータを以下に示す。【００６７】
レンズ        始面      焦点距離(mm)
１           ３            2.976
２           ５        1153.526
３           ７           -7.991
・前述の各条件式に対応する値を以下に示す。【００６８】
（１）  ＴＬ／ｆ＝1.09
（２）  （ｒ２＋ｒ１）／（ｒ２−ｒ１）＝3.170
（３）  φｍ／φｐ＝-200.89
（４）  Ｄ２／ｆ＝0.11
（５）  ｆ３／ｆ＝-2.36
（６）  ｎ２＝1.80540
図７は実施例４の撮像レンズの断面図である。Ｓは開口絞り、Ｌ１は第１レンズ、Ｌ２は第２レンズ、Ｌ３は第３レンズ、ＰＴは光学的ローパスフィルタ若しくはＩＲカットフィルタ、ＣＧは固体撮像素子のカバーガラス、Ｉは撮像面を示す。図８は実施例４の収差図（球面収差、非点収差、歪曲収差）である。【００６９】
［実施例５］
・全体諸元を以下に示す。【００７０】
ｆ＝３．５ｍｍ
ｆＢ＝０．０９ｍｍ
Ｆ＝２．８４
２Ｙ＝４．４８ｍｍ
ＥＮＴＰ＝０ｍｍ
ＥＸＴＰ＝−２．２４ｍｍ
Ｈ１＝−１．７５ｍｍ
Ｈ２＝−３．４１ｍｍ
・面データを以下に示す。【００７１】
面番号      Ｒ(mm)      Ｄ(mm)      Ｎｄ      νｄ    有効半径(mm)
１            ∞         0.05                             0.62
２            ∞        -0.23                             0.62
３(＊)       1.104       0.78     1.56910     71.3        0.62
４(＊)       1.904       0.53                             0.55
５(＊)     -97.431       0.30     1.81360     25.7        0.60
６(＊)     -87.147       0.53                             0.64
７(＊)       5.206       0.73     1.58310     59.4        0.72
８(＊)       2.638       0.18                             0.82
９            ∞         0.15     1.51630     64.1        2.50
10            ∞         0.10                             2.50
11            ∞         0.50     1.47140     65.2        2.50
12            ∞         0.09
・非球面係数を以下に示す。【００７２】
第３面
K=-0.21222E+00,A4=0.25445E-01,A6=0.51251E-01,A8=-0.59334E-01,A10=0.16782E+00,A12=-0.54255E-01,A14=-0.59734E-01
第４面
K=0.53302E+01,A4=0.40186E-01,A6=-0.15845E+00,A8=0.55845E+00,A10=0.11682E-01,A12=-0.34101E+01,A14=0.59938E+01
第５面
K=-0.50000E+02,A4=-0.13696E+00,A6=0.10524E+00,A8=-0.28614E+00,A10=0.79964E-01,A12=-0.82943E+00,A14=0.22925E+01,A16=-0.19808E+01
第６面
K=0.50000E+02,A4=-0.10949E+00,A6=0.96865E-01,A8=-0.68514E-01,A10=-0.37220E-01,A12=-0.13706E-02,A14=0.92030E-01,A16=-0.51516E-01
第７面
K=-0.23734E+02,A4=-0.17456E+00,A6=0.40097E-01,A8=0.19614E-02,A10=0.25368E-02,A12=-0.27152E-03,A14=-0.53792E-03,A16=0.93865E-04
第８面
K=-0.53229E+01,A4=-0.10922E+00,A6=0.25954E-01,A8=-0.11196E-01,A10=0.21171E-02,A12=0.15579E-03,A14=-0.12433E-03,A16=0.15264E-04
・単レンズデータを以下に示す。【００７３】
レンズ        始面      焦点距離(mm)
１           ３            3.410
２           ５        1001.513
３           ７          -10.240
・前述の各条件式に対応する値を以下に示す。【００７４】
（１）  ＴＬ／ｆ＝1.05
（２）  （ｒ２＋ｒ１）／（ｒ２−ｒ１）＝3.760
（３）  φｍ／φｐ＝-333.51
（４）  Ｄ２／ｆ＝0.15
（５）  ｆ３／ｆ＝-2.93
（６）  ｎ２＝1.80540
図９は実施例５の撮像レンズの断面図である。Ｓは開口絞り、Ｌ１は第１レンズ、Ｌ２は第２レンズ、Ｌ３は第３レンズ、ＰＴは光学的ローパスフィルタ若しくはＩＲカットフィルタ、ＣＧは固体撮像素子のカバーガラス、Ｉは撮像面を示す。図１０は実施例５の収差図（球面収差、非点収差、歪曲収差）である。
【符号の説明】
【００７５】
Ｓ  開口絞り
Ｌ１  第１レンズ
Ｌ２  第２レンズ
Ｌ３  第３レンズ
ＰＴ  光学的ローパスフィルタ若しくはＩＲカットフィルタ
ＣＧ  固体撮像素子のカバーガラス
Ｉ  撮像面
【図１】
2011092983.tif 000004
【図２】
2011092983.tif 000005
【図３】
2011092983.tif 000006
【図４】
2011092983.tif 000007
【図５】
2011092983.tif 000008
【図６】
2011092983.tif 000009
【図７】
2011092983.tif 000010
【図８】
2011092983.tif 000011
【図９】
2011092983.tif 000012
【図１０】
2011092983.tif 000013
【国際調査報告】
2011092983.tif 000014
2011092983.tif 000015
2011092983.tif 000016
2011092983.tif 000017